(57)【要約】【課題】商品券の表面を利用して、商品券を受け取った人が手に取って、商品券の表面に形成した明細表示部を見ると同時に、広告宣伝したい商品や案内について、広告表示部を通して、必然的に、確実に見せることができる広告宣伝媒体を提供することにある。【解決手段】本発明は、商品券の表面に、明細を表示する文字、地紋、図形、記号、絵柄等からなる明細表示部を形成すると共に、該明細表示部以外の領域に、前記明細表示部の記載内容と関係のない商品や案内を広告宣伝する文字、図形、記号、絵柄等からなる広告表示部を形成したことを特徴とする広告宣伝媒体である。【選択図】図１
2005092139.tif 000002
【特許請求の範囲】
【請求項１】
商品券の表面に、明細を表示する文字、地紋、図形、記号、絵柄等からなる明細表示部を形成すると共に、該明細表示部以外の領域に、前記明細表示部の記載内容と関係のない商品や案内を広告宣伝する文字、図形、記号、絵柄等からなる広告表示部を形成したことを特徴とする広告宣伝媒体。
【発明の詳細な説明】
【技術分野】
【０００１】
本発明は、広告宣伝媒体に関し、さらに詳しくは、商品券の表面を利用して、その商品券を受け取った人に、広告宣伝したい商品や案内を確実に知らせ、その関心を引きつけることができる広告宣伝媒体に関するものである。
【背景技術】
【０００２】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像表示を形成し、その商品の広告宣伝を行っている。あるいは、商品や案内に関するチラシ、カタログ等を作製し、これを不特定多数の人に配布し、そこに掲載されている商品や案内を広く知らせて、人々の関心を引いて広告宣伝を行う方法がある。さらに、ラジオ、テレビ、インターネット、街頭放送、街頭ネオンサイン等を利用し、音声、映像等を通して視覚や聴覚に訴えることにより商品や案内を広告宣伝する方法も広く行われている。
【０００３】
しかし、上記のような従来の広告宣伝媒体による広告宣伝は、不特定多数の人に向かって商品や案内を広告宣伝するものであり、通常、一人一人が、それを視覚を通して見たり、また、聴覚をとおして聴いたりしても、広告宣伝する商品や案内について、それ程関心を引くものとなっていない。ましてや、人々は、近年、広告宣伝の氾濫による喧騒等に嫌悪感を持つようになっており、それほどに関心のない商品や案内の広告宣伝は、見たり、聴いたりすることを避け、チラシ、カタロク等に至っては、見ないで、そのまま捨ててしまい、その商品や案内の広告宣伝に振り向かないのが実状であり、有効な広告効果を得るに至っていない。
【０００４】
そこで、商品を収納した包装容器の外面を利用して、収納されている商品とは無関係である広告宣伝したい商品や案内等について、外包装容器の外面に形成した広告表示部である印刷画像表示部を通して、必然的に、購入した人が手に持って、確実に見ることになる広告宣伝媒体が提案されている（例えば、特許文献１参照。）。
【特許文献１】特開平１０−２６８８１７号公報
【発明の開示】
【発明が解決しようとする課題】
【０００５】
しかしながら、上記の特開平１０−２６８８１７号公報の「広告宣伝媒体」は、商品を収納した包装容器の外面を利用して、収納されている商品や案内とは無関係である広告宣伝したい商品等の印刷画像表示部を形成したことを特徴とする広告宣伝媒体であり、商品券においては、その表面を利用して、その商品券を受け取った人に、広告宣伝したい商品や案内を確実に知らせ、その関心を引きつけることができるように商品券を広告宣伝媒体とする提案はいまだ出されていない。
【０００６】
そこで本発明の目的とするところは、商品券の表面を利用して、商品券を受け取った人が手に取って、商品券の表面に形成した明細表示部を見ると同時に、広告宣伝したい商品や案内について、広告表示部を通して、必然的に、確実に見せることができる広告宣伝媒体を提供することである。
【課題を解決するための手段】
【０００７】
上記のような課題を解決すべく本発明は、商品券の表面に、明細を表示する文字、地紋、図形、記号、絵柄等からなる明細表示部を形成すると共に、該明細表示部以外の領域に、前記明細表示部の記載内容と関係のない商品や案内を広告宣伝する文字、図形、記号、絵柄等からなる広告表示部を形成したことを特徴とする広告宣伝媒体である。
【発明の効果】
【０００８】
本発明の広告宣伝媒体は、商品券の表面の明細表示部以外の領域に、この商品券の明細表示部と全く無関係の商品や案内を広告宣伝する広告表示部を形成したことにより、商品券を受け取った人、一人一人が、その商品券を手に取って、表面に施されている商品券の内容の明細表示部に目を落とすと同時に、必然的に、確実に、その商品券に施されている商品や案内に関する広告表示部を見ることになり、これによって、極めてその商品や案内の広告宣伝機能が高いという効果を有するものである。
【発明を実施するための最良の形態】
【０００９】
以下に、図面を参照にしながら、本発明の広告宣伝媒体の実施の形態について例をあげて説明する。なお、説明を簡単にするために、各図において対応する部位には、同じ符号を付している。
【００１０】
まず、本発明の広告宣伝媒体の実施の形態について実施例をあげて説明する。図１は、本発明にかかる広告宣伝媒体の実施の形態の一実施例を示す斜視図である。本発明の広告宣伝媒体Ａは、図１に示すように、商品券１を基材とし、その商品券１に明細を表示する文字、地紋、図形、記号、絵柄等からなる明細表示部２を形成すると共に、この明細表示部２以外の領域に、商品券１の内容と無関係な商品や案内を広告宣伝する文字、図形、記号、絵柄等からなる広告表示部３ｓを形成している。
【００１１】
すなわち、本発明の広告宣伝媒体Ａでは、商品券１の表面に、図１−ａに示すように、所定の表示事項の文字、地紋、図形、記号、絵柄等からなる明細表示部２を形成し、さらに、その明細表示部２以外の領域に、明細表示部２の記載内容と無関係である、商品や案内を広告宣伝する商品の商標名、絵柄、性能、製造者等を表示する文字、図形、記号、絵柄等や案内からなる広告表示部３を形成して、本発明にかかる広告宣伝媒体Ａを構成するものである。
【００１２】
すなわち、本実施例では、商品券１の表面に記載内容を表示する文字、地紋、図形、記号、絵柄等からなる明細表示部２と、その記載内容と無関係な商品や案内を広告宣伝する文字、図形、記号、絵柄等からなる広告表示部３との両表示部を形成している。
【００１３】
また、商品券１の記載内容を表示する明細表示部２と無関係な商品や案内を広告宣伝する広告表示部３の内容のデータを予めアンケート調査等にて調査したデータベースから引き出して選択して印刷する。このように広告宣伝内容をデータベース管理することで、特定の個人、地域、期間に効率よく配信することができることになる。
【００１４】
つぎに、本発明にかかる広告宣伝媒体について、それを構成する材料、製造法等を説明する。
【００１５】
まず、本発明の広告宣伝媒体Ａである商品券１を構成する材料は、特に限定されるものではなく、純白ロール紙、クラフト紙、板紙等の紙材、紙材とプラスチックフィルムの積層体等、公知の商品券に使用する材料を使用することができる。
【００１６】
本発明においては、上記のような材料の表面に、原反の状態において、予め、例えば、文字、図形、記号、絵柄、模様等の所望の印刷絵柄を通常の印刷法、例えば、オフセット印刷、グラビア印刷、凸版印刷、シルクスクリーン印刷、転写印刷等によって表刷り印刷、あるいは裏刷り印刷等を行うことにより、商品券１に表示する文字、地紋、図形、記号、絵柄等からなる明細表示部２を形成すると共に、該明細表示部２以外の領域に、明細書の記載内容と全く無関係の商品３を広告宣伝する文字、図形、記号、絵柄等からなる広告表示部３を形成することができるものである。
【００１７】
なお、本発明においては、上記のような広告表示部３を形成するに際しては、広告表示部３を構成する文字、図形、記号、絵柄等を、通常の印刷インキを使用して形成する代わりに、例えば、蛍光性インキ、示温性インキ等を使用して広告表示部３を形成することもでき、さらには、その広告表示部３の構造を凹凸画像等にすることもでき、さらにまた、ホログラフィー等を使用して広告表示部３を形成してもよく、また、印刷インキの色数を増やして広告表示部３を形成することもできる。そして、上記のような広告表示部３を形成することにより、その機能性、広告宣伝効果等をさらに高めることが可能となるものである。
【００１８】
また、本発明において、商品券１の形状は、四角形以外に、円形、楕円形、三角形等とすることができる。
【００１９】
なお、本発明において、広告宣伝を行なう商品３としては、例えば、食品、菓子、果汁・酒・油・調味料等の飲料、洗剤・歯磨き粉等の日用品、雑貨品、医薬品、文房具、テレビ・冷蔵庫・洗濯機・掃除機等の電気製品、パソコン、ゲーム機、オーディオ製品、自動車、ゴルフ道具・サーカー道具・野球道具等の運動用具等の種々の商品を対象とすることができる。また、効果的な宣伝内容としては、旅行案内、学校案内、寺社案内、企業案内をはじめ、企業あるいは公共団体が行なうキャンペーンや行事の案内、尋ね人等があげられる。
【実施例】
【００２０】
つぎに、本発明の広告宣伝媒体について以下に具体例を挙げてさらに詳しく説明する。
【００２１】
＜実施例１＞
図２−ａに示すように、全国共通商品券に、金額、地紋、使用可能店、注意事項等を明細表示部として印刷し、この明細表示部以外の領域に明細表示部と関係のない商品であるカレーを広告宣伝する事項である絵柄等の広告表示部を印刷した。このように商品券を利用して、新発売のカレーを広告宣伝する広告表示部が印刷された広告宣伝媒体Ｂとすることができた。
【００２２】
＜実施例２＞
図２−ｂに示すように、全国共通ビール券に、金額、地紋、使用可能店、注意事項等を明細表示部として印刷し、この明細表示部以外の領域に明細表示部と関係のないセールの案内を広告宣伝する事項である絵柄等の広告表示部を印刷した。このようにビール券を利用して、セールの案内を広告宣伝する広告表示部が印刷された広告宣伝媒体Ｃとすることができた。
【産業上の利用可能性】
【００２３】
また、上記の例示は、本発明の広告宣伝媒体について、その一例を示したものであり、これによって本発明が限定されるものではない。本例以外としては、図書券、お米券、宝くじ券等に適用されるものである。
【図面の簡単な説明】
【００２４】
【図１】本発明にかかる広告宣伝媒体の実施の形態の例を示す図である。
【図２】本発明にかかる広告宣伝媒体の実施例を示す図である。
【符号の説明】
【００２５】
Ａ  広告宣伝媒体
Ｂ  広告宣伝媒体
Ｃ  広告宣伝媒体
１  商品券
２  明細表示部
３  広告表示部
【図１】
2005092139.tif 000003
【図２】
2005092139.tif 000004